(57)【要約】      （修正有）【課題】療養泉量を最小限に節約して有効利用する湯治用浴槽設備を提供する。【解決手段】該設備は、療養泉と温水とを貯留する浴槽２０と、療養泉と温水とをそれぞれ上層部２２と下層部２３に分離するためのビニールシート３０と、前記浴槽に前記ビニールシートを嵌装するための嵌着部材３１と、入浴者の頭部を載せる枕体３２とにより構成する。前記枕体には多層空気充填密封体３３による体積可変機構を設け、前記浴槽は長さ１５００〜１８５０ｍｍ×幅５００〜７００ｍｍ×高さ２５０〜３５０ｍｍの略矩形の寝台型の浅底箱形状とする。さらに、前記浴槽内に前記ビニールシートを固定した後に、その後、浴槽の下層部２３に、該下層部領域高さが１５０ｍｍ〜２５０ｍｍとなり、且つ、熱交換により前記常温の療養泉温度を３６〜３８度に上昇せるために必要な湯量及び温度を前記浴槽寸法から求められる伝熱面積と伝熱面内外の温度差から求め、相当する温水を投入することで入浴可能となる。【選択図】図２
0003168593.tif 000002
【実用新案登録請求の範囲】
【請求項１】
療養泉量を最小限に節約して有効利用するための湯治用浴槽設備であって、
療養泉と温水とを貯留する浴槽と、
療養泉と温水とをそれぞれ上層部と下層部に分離するためのビニールシートと、
前記浴槽に前記ビニールシートを嵌装するための嵌着部材と、
入浴者の頭部を載せる枕体と、から成り、
前記枕体には多層空気充填密封体による体積可変機構を設け、
前記浴槽は長さ1500〜1850ｍｍ×幅500〜700ｍｍ×高さ250〜350ｍｍの略矩形の寝台型の浅底箱形状とし、
前記浴槽内に前記ビニールシートを固定した後に、前記上層部に常温の療養泉を7〜30リットルの範囲内において投入し、その後、浴槽の下層部に、該下層部領域高さが150ｍｍ〜250ｍｍとなり、且つ、熱交換により前記常温の療養泉温度を36〜38度に上昇せるために必要な湯量及び温度を前記浴槽寸法から求められる伝熱面積と伝熱面内外の温度差から求めて、これを投入することで入浴可能となることを特徴とする湯治用浴槽設備。
【請求項２】
前記湯治用浴槽設備において、
前記浴槽内の底面に、葛折り状に形成した銅パイプを配設し、該銅パイプ内に外部給湯装置から高温水を循環させて前記浴槽内の療養泉及び温水を適温に保つことを特徴とする請求項１に記載の湯治用浴槽設備。
【考案の詳細な説明】
【技術分野】
【０００１】
本考案は、療養泉量を最小限に節約して有効利用する湯治用浴槽設備に関する。
【背景技術】
【０００２】
日本では、昔から“湯治”と呼ばれる温泉を利用した病気療法が行なわれてきた。さらに近年では温泉成分の科学的分析から分かってきた泉質別効能や、温泉に入浴する行為がもたらすリラクゼーションなど、温泉の療養効果においても一般的に広く認知され、特に最近では、医学的および精神学的にも高く評価されるようになってきている。
【０００３】
地域別には、高原や山岳地帯にある温泉地は、紫外線に富んでいて気圧が下がるために、通常の人間の身体はより多くの酸素を取り入れようとして呼吸運動が活発になり、増血臓器が刺激されて赤血球が増えることから貧血症、リウマチ、神経痛の人に向いていると言われている。また、海岸近くの温泉地は、昼と夜の温度差が少ないため山岳地帯の温泉地に比べ精神的に落ち着く作用があることから、血圧の高い人や精神的に不安定な人に向いていると言われている。また、森林に囲まれている温泉地は、酸素が豊富で、適度な湿度があり、暴風・防音効果もあって静寂なことから精神的なストレス解消効果があると言われ、“フィトンチッド“と呼ばれる気分を静め、殺菌作用のある香りが漂っていることから自然に心や身体の疲れが取り除かれる効果があると言われている。
【０００４】
一方、入浴方法による療養効果は、高温浴（42度以上）、微温浴（36〜38度）、水圧利用、浮力利用などがあり、入浴者の身体に対する刺激や効き目に合わせて利用することができる。
【０００５】
他方、温泉地特有の泉質によって温泉効能は異なるもので、神経痛、筋肉痛、関節痛、慢性消化器病、痔疾、冷え性、披露回復に効用がある単純温泉や、以下単純温泉の効用に加え、切り傷、火傷、慢性皮膚病、慢性婦人病に効用がある塩化物温泉や、切り傷、火傷、慢性皮膚病に効用がある炭酸水素塩泉や、切り傷、火傷、動脈硬化症、慢性皮膚病に効用がある硫酸塩泉や、高血圧、動脈硬化、慢性婦人病、切り傷、糖尿病に効用がある硫黄泉や、貧血、月経障害に効用がある含鉄泉や、慢性皮膚病、月経障害に効用がある酸性泉や、高血圧症、動脈硬化症、筋肉痛、関節痛に効用がある二酸化炭素泉や、高血圧症、慢性婦人疾患に効用がある放射能泉などが日本各地に点在している。また、「ラジウム泉」、「ラドン泉」、「トロン泉」と呼ばれている放射能泉は、癌疾病に効くとされ、現代医学上は禁忌症として位置づけされているが、完治例も数多く報告され、放射性効果が世界一高いといわれる島根県の池田ラジウム鉱泉や、微量の放射能によるホルミシス効果があるとされる秋田県の玉川温泉には、現在においても多くの人が訪れて温泉療法が行なわれている。
【０００６】
以上のように、温泉を利用した病気療法は、心身の治療ならびにリラックス療法として広く利用されているところではあるが、遠方にある温泉地を定期的に訪れるには、交通費、宿泊費、滞在日数など多くの時間と経費を要するものであり、一般的な日常生活の中では容易に温泉療法を実現できるものではない。
【０００７】
またさらに、最近ではペットボトルや水タンク等に療養泉を入れたものが通信販売等により購入できるようになり、自宅の浴槽でも温泉療法を実現できるようになっているが、自宅浴槽を療養泉で満たす量を購入するには費用がかかり、また、療養泉を通常の浴槽に直接入れてしまうと、療養泉は金属を腐食させる物質を含むことが多いため、浴槽の腐食やボイラーの故障の原因にもなる。
【０００８】
そこで、従来より、上記問題点を解決しようと種々の技術が提案されている。例えば、ポリエチレン製の袋と薬用成分湯量で通常の入浴同様の感触を味わう「入浴袋」（特許文献１参照）や、浴槽内の温泉水を節約する「温泉浴槽構造」（特許文献２参照）などである。
【０００９】
しかしながら、前記「入浴袋」（特許文献１参照）においては、身体がポリエチレン製の袋で覆われるため、入浴中における皮膚治療やマッサージ治療、身体の洗い落としなどの作業が行なえず、単に薬用成分湯に浸かる状態を提供するに留まるもので、温泉を利用した病気療法としては大きな治療効果が期待できるものではなかった。
【００１０】
また、前記「温泉浴槽構造」（特許文献２参照）においては、加熱システム、浴槽システム、制御システム等を備えた浴槽構造体を形成しているため、筐体自体が大型であり設置スペースを必要とし、また電気制御されていることから停電時に使用することができなかったり、浴槽内に温泉源泉水を多量に必要とするものであり、導入コスト、維持管理費など使用に当たっての使用経費が多大に嵩む問題点があるものであった。
【００１１】
以上の様な現状から、本願考案者は、考案者自身が突然の闘病生活を余儀なくされた経験に基づき、一般的な日常生活の中で時間と経費と労力を使うことなく誰でもが簡単に家庭内温泉療法が実現できる方法はないかとう強い思いの中、如何にすれば使用する温泉源泉水を必要最小限に抑えて家庭内温泉療法が実現できるかという点に着目し、本考案に至ったものである。
【先行技術文献】
【特許文献】
【００１２】
【特許文献１】特開２０００-５２６０号公報
【特許文献２】特開平８-３３８０５３号公報
【考案の概要】
【考案が解決しようとする課題】
【００１３】
本考案は、上記問題点に鑑み、療養泉量を最小限に節約して有効利用する湯治用浴槽設備の提供を図ることを目的とする。
【課題を解決するための手段】
【００１４】
本考案は、上記目的を達成するためになされるもので、療養泉量を最小限に節約して有効利用するための湯治用浴槽設備であって、療養泉と温水とを貯留する浴槽と、療養泉と温水とをそれぞれ上層部と下層部に分離するためのビニールシートと、前記浴槽に前記ビニールシートを嵌装するための嵌着部材と、入浴者の頭部を載せる枕体と、から成り、前記枕体には多層空気充填密封体による体積可変機構を設け、前記浴槽は長さ1500〜1850ｍｍ×幅500〜700ｍｍ×高さ250〜350ｍｍの略矩形の寝台型の浅底箱形状とし、前記浴槽内に前記ビニールシートを固定した後に、前記上層部に常温の療養泉を7〜30リットルの範囲内において投入し、その後、浴槽の下層部に、該下層部領域高さが150ｍｍ〜250ｍｍとなり、且つ、熱交換により前記常温の療養泉温度を36〜38度に上昇せるために必要な湯量及び温度を前記浴槽寸法から求められる伝熱面積と伝熱面内外の温度差から求めて、これを投入することで入浴可能となることを特徴とする湯治用浴槽設備とした。
【００１５】
また、本考案は、前記湯治用浴槽設備において、前記浴槽内の底面に、葛折り状に形成した銅パイプを配設し、該銅パイプ内に外部給湯装置から高温水を循環させて前記浴槽内の療養泉及び温水を適温に保つことを特徴とする構成を採用することもできる。
【考案の効果】
【００１６】
本考案の湯治用浴槽設備によれば、家庭内もしくは近郊の湯治用浴槽設備を備えた入浴施設内で利用することができるため、わざわざ温泉地に出向かなくても時間と経費と労力を使うことなく療養泉を利用した温泉療法ができる優れた効果を奏する。
【００１７】
また、本考案の入浴湯治方法及び湯治用浴槽設備によれば、浴槽内にビニールシートが設けられることによって、そのビニールシート内に張られる療養泉を入浴治癒に必要な最小限に節約して入浴することができる優れた効果を奏する。
【００１８】
また、本考案の湯治用浴槽設備によれば、療養泉が浴槽に直接触れないため、浴槽の腐食やボイラーの故障の原因になることがなく、療養泉の投入時において療養泉自体を加熱しておく必要もないという優れた効果を奏する。
【００１９】
また、本考案の湯治用浴槽設備によれば、療養泉を治療目的に合わせた薬草液や、アトピー治療薬などを含有させたその他の治療療法の温泉療法として使用することができる優れた効果を奏する。
【００２０】
また、本考案の湯治用浴槽設備によれば、浴槽内にビニールシートが設けられることによって、皮膚病や水虫などを疾患している病人などがいる家族との入浴する温水の区分けができる優れた効果を奏する。
【００２１】
また、本考案の湯治用浴槽設備によれば、構成される部品要素が浴槽とビニールシートと枕体と嵌着部材であるため、入浴準備に時間が掛からないことや、設備の購入費が廉価な優れた効果を奏する。
【００２２】
また、本考案の湯治用浴槽設備によれば、枕体の空気充填密封体によって入浴する人の身体の大きさに合わせて入浴する温水の調整が可能であるため、入浴する温水の節約ができると共に浴槽の大きさを同一にできる優れた効果を奏する。
【００２３】
また、本考案の湯治用浴槽設備によれば、熱伝導率が高い銅パイプを利用することで入浴する温水の温度の調節が可能となる優れた効果を奏する。
【図面の簡単な説明】
【００２４】
【図１】本考案に係る湯治用浴槽設備の全体を示す斜視図である。
【図２】本考案の入浴湯治状態を示す断面説明図である。
【図３】本考案の別の実施形態の入浴湯治状態を示す断面説明図である。
【図４】本考案に係る湯治用浴槽設備の使用方法を示す説明図である。
【考案を実施するための形態】
【００２５】
本考案は、療養泉量を最小限に節約して有効利用するための湯治用浴槽設備であって、療養泉と温水とを貯留する浴槽と、療養泉と温水とをそれぞれ上層部と下層部に分離し、浴槽内に前記ビニールシートを固定した後に、前記浴槽内に前記ビニールシートを固定した後に、前記上層部に常温の療養泉を7〜30リットルの範囲内において投入し、その後、浴槽の下層部に、該下層部領域高さが150ｍｍ〜250ｍｍとなり、且つ、熱交換により前記常温の療養泉温度を36〜38度に上昇せるために必要な湯量及び温度を前記浴槽寸法から求められる伝熱面積と伝熱面内外の温度差から求めて、これを投入することで入浴可能となることを最大の特徴とするもので、以下、実施例を図面を基に説明する。
【００２６】
図１は、本考案に係る湯治用浴槽設備１０の全体を示す斜視図である。湯治用浴槽設備１０は、浴槽２０と、上層部２２と下層部２３を分離するビニールシート３０と、それを浴槽２０の上縁部２１に嵌着する嵌着部材３１と、入浴者Ｍの頭を載せる枕体３２と、その枕体３２の一部に空気を入れて浴槽２０内の体積を調整する多層空気充填密封体３３とから構成される。
【００２７】
なお、本考案に係る入浴治癒浴槽設備１０は、本考案の実施例に趣旨に逸脱しない範囲で、寸法、形状、材質、治療液について特に限定されるものではないが、例えば、浴槽２０の寸法を、長さ1650ｍｍ×幅590ｍｍ×高さ300ｍｍの略矩形の寝台型の浅底箱形状とし、材質には木質や合成樹脂等で形成することが考え得る。また、図に示したように脚部を設ける構成や、キャスターを取り付けて移動可能な構造とすることも有効である。
【００２８】
上層部２２は、浴槽２０内をビニールシート３０で仕切られ、使用時は7〜30リットルの療養泉４０がペットボトルＢで投入される領域を形成する。前記例示した浴槽２０の寸法を、長さ1650ｍｍ×幅590ｍｍ×高さ300ｍｍの略矩形の寝台型の浅底箱形状とした場合であれば、療養泉４０の注入量を約30リットルとすると、高さ約30ｍｍの領域を形成する。
【００２９】
下層部２３は、浴槽２０内をビニールシート３０で仕切られ、前記同様の浴槽２０の寸法とした場合であれば、使用時に約195リットルの温水４１を家庭の浴槽等から外部給湯装置Ｐ（家庭用循環ポンプ）によって投入することで、高さ約200ｍｍの領域を形成する。なお、入浴時において下層部２３を完全に確保する手段として、スノコ状の縁台（図示なし）を浴槽２０の底面に設置することも考えられる。
【００３０】
ビニールシート３０は、比較的厚めの耐食・不透水性の樹脂製のシートで形成され、形状は、浴槽２０の内面に収納される形状に形成されたものか、あるいは浴槽２０内に敷いた後に浴槽上縁部を覆える大きさの、一枚のシート状（例えば、長さ2400ｍｍ×幅1800ｍｍ×厚み0.2〜0.3ｍｍ（図示なし）のものが使用される。
【００３１】
嵌着部材３１は、開口部が内側に付勢するコの字型の型材を延設したものを浴槽２０の上縁部２１にビニールシート３０を嵌装するための部材として嵌着されるもので、耐食性の合成樹脂で形成され、滑り防止の手すりやクッションの機能を兼ねるものである。
【００３２】
枕体３２は、入浴者Ｍの入浴時の頭を保持するもので、空気を充填させて温水を投入しても浮かないように浴槽２０の内面壁に吸盤パットまたは簡単な保持具３５で保持される。また、枕体３２を浴槽２０内の内側周縁に延長して枕体３２と隔壁を設けて別個の多層空気充填密封体３３とすることで、入浴者Ｍの体型に応じて体積を変更させて療養泉及び温水の使用量を最小限に節約する構造とすることができる。
【００３３】
療養泉４０は、入浴者Ｍの治療目的によって選定されるもので、単純温泉や、以下単純温泉の効用に加え、切り傷、火傷、慢性皮膚病、慢性婦人病に効用がある塩化物温泉や、切り傷、火傷、慢性皮膚病に効用がある炭酸水素塩泉や、切り傷、火傷、動脈硬化症、慢性皮膚病に効用がある硫酸塩泉や、高血圧、動脈硬化、慢性婦人病、切り傷、糖尿病に効用がある硫黄泉や、貧血、月経障害に効用がある含鉄泉や、慢性皮膚病、月経障害に効用がある酸性泉や、高血圧症、動脈硬化症、筋肉痛、関節痛に効用がある二酸化炭素泉や、高血圧症、慢性婦人疾患に効用がある放射能泉のペットボトルＢ入りの源泉水を通販などで購入して使用するものである。使用時に使われる湯量は７〜３０リットルで、湯温は微温浴の36〜38度が好ましい。また、アトピー治療液、アロマ美容液、果実液などその他の利用目的に合わせた治療液や美容液を選択することもできる。
【００３４】
温水４１は、家庭用の浴槽から外部給湯装置Ｐ（家庭用循環ポンプ）で循環させて本装置の浴槽２０内の下層部２３に投入されるもので、使用時に使われる湯量は療養泉４０と温水４１の比率で3対97から15対85程度の範囲内で、湯温は43度から46度の範囲内の温度が好ましい。
【００３５】
図２は、本考案の入浴湯治状態を示す断面説明図である。枕体３２が装着された浴槽２０にビニールシート３０を張って浴槽２０内を上層部２２と下層部２３に分離し、そのビニールシート３０を浴槽２０の上縁部２１に固定し、浴槽２０の上層部２２に常温の療養泉４０を投入し、浴槽２０の下層部２３に外部給湯装置Ｐ（家庭用循環ポンプ）で温水４１を投入して入浴する状態を示すもので、療養泉４０を利用した温泉療法が、家庭内において時間と経費と労力を使うことなく簡単にできるものであることを示している。
【００３６】
図３は、本考案の別の実施形態の入浴湯治状態を示す断面説明図である。浴槽２０内の底面に、葛折り状に形成した銅パイプ３４を配設し、該銅パイプ３４内に外部給湯装置Ｐ（家庭用循環ポンプ）から高温水を循環させて、浴槽２０内の療養泉４０及び温水４１を適温に保つ構造としたもので、家庭用の浴槽から外部給湯装置Ｐ（家庭用循環ポンプ）で循環させて、銅パイプ３４に接続することで容易に設置することができるものである。
【００３７】
銅パイプ３４は、熱伝導率の高い銅製の配管用パイプ（例えば23φ）を用いて浴槽２０内の底面に葛折り状に配設し、外部給湯装置Ｐ（家庭用循環ポンプ）に給排水ホース３６を接続して家庭内の浴槽に連結される。
【００３８】
図４は、本考案に係る湯治用浴槽設備の使用方法を示す説明図である。療養泉４０量を最小限に節約して有効利用する湯治方法は、下記の分離する工程と、固定する工程と、療養泉投入工程と、温水投入工程と、入浴工程から構成される。
(a) 分離する工程
・浴槽２０にビニールシート３０を張り該浴槽２０内を上層部２２と下層部２３に分離する。
(b)固定する工程
・ビニールシート３０を浴槽２０の上縁部２１に嵌着部材３１で固定する。
(c)療養泉投入工程
・浴槽２０の上層部２２にペットボトルＢに入った常温の療養泉４０を約7〜30 リットル投入する。
(d)温水投入工程
・浴槽２０の下層部２３に家庭にある浴槽の入浴湯から外部給湯装置Ｐ（家庭用循環ポンプ）で温水４１を汲み上げ、ビニールシートの一部をめくって湯温約45度位のお湯を約195リットル位投入する。係る温水投入工程により、すでに投入されている上層部２２の療養泉４０に熱が伝えられ、温水投入工程が終了するころには、療養泉４０が微温浴に適した湯温約36〜38度になる。
(e) 入浴工程
・浴槽２０に仰向けになって身体が浸る位の水位にして入浴する。
【符号の説明】
【００３９】
１０  湯治用浴槽設備
２０  浴槽
２１  上縁部
２２  上層部
２３  下層部
３０  ビニールシート
３１  嵌着部材  
３２  枕体
３３  多層空気充填密封体
３４  銅パイプ
３５  吸盤パットまたは保持具
３６  給排水ホース  
４０  療養泉
４１  温水  
Ｍ    入浴者
Ｐ    外部給湯装置（家庭用循環ポンプ）
Ｂ    ペットボトル
【図１】
0003168593.tif 000003
【図２】
0003168593.tif 000004
【図３】
0003168593.tif 000005
【図４】
0003168593.tif 000006